(57)【要約】【課題】吸引物が吸引ポンプに流入してしまう問題を解決すること。【解決手段】本発明の吸引装置は、一端に吸引口が形成された吸引管路と、この吸引管路に吸引力を付勢する吸引ポンプと、吸引管路上に設けられ吸引口から吸引した吸引物を蓄積する容器と、当該容器と吸引ポンプとの間の吸引管路上に設けられ容器から流入した吸引物を蓄積する補助容器と、を備える。そして、補助容器は、当該補助容器内に、容器側の吸引管路との連結口から流体を螺旋状に流入させる流入路を有する螺旋流路部材を備える。【選択図】図７
2017074359.tif 000002
【特許請求の範囲】
【請求項１】
一端に吸引口が形成された吸引管路と、この吸引管路に吸引力を付勢する吸引ポンプと、前記吸引管路上に設けられ前記吸引口から吸引した吸引物を蓄積する容器と、当該容器と前記吸引ポンプとの間の前記吸引管路上に設けられ前記容器から流入した吸引物を蓄積する補助容器と、を備え、
前記補助容器は、当該補助容器内に、前記容器側の前記吸引管路との連結口から流体を螺旋状に流入させる流入路を有する螺旋流路部材を備えた、
吸引装置。
【請求項２】
請求項１に記載の吸引装置であって、
前記補助容器は、当該補助容器の上部に前記容器側の前記吸引管路との連結口を設けており、当該連結口から前記補助容器内に流体を下方に向かって螺旋状に流入させるよう、前記螺旋流路部材の流入路が形成されている、
吸引装置。
【請求項３】
請求項２に記載の吸引装置であって、
前記補助容器は、前記螺旋流路部材の周囲側に、前記容器側の前記吸引管路との連結口から流体を螺旋状に流入させる前記流入路を形成しており、当該流入路に囲まれた前記螺旋流路部材の中央部分に、前記補助容器内から当該補助容器の上部に設けられた前記吸引ポンプ側の前記吸引管路との連結口に流体を流出させる流出路を形成している、
吸引装置。
【請求項４】
請求項１乃至３のいずれかに記載の吸引装置であって、
前記補助容器は、当該補助容器の外側に当該補助容器内に液体が蓄積したことを検出する静電容量センサを備えた、
吸引装置。
【請求項５】
請求項４に記載の吸引装置であって、
前記補助容器は、当該補助容器の底部の外側に前記静電容量センサを配置した、
吸引装置。
【請求項６】
請求項４又は５に記載の吸引装置であって、
前記静電容量センサにて前記補助容器内に液体が流入したことを検出したときに、前記吸引ポンプの稼働を停止するよう制御する制御部を備えた、
吸引装置。
【請求項７】
一端に吸引口が形成された吸引管路と、この吸引管路に吸引力を付勢する吸引ポンプと、前記吸引管路上に設けられ前記吸引口から吸引した吸引物を蓄積する容器と、を備えた吸引装置に装備され、前記容器と前記吸引ポンプとの間の前記吸引管路上に設けられて前記容器から流入した吸引物を蓄積する補助容器であって、
当該補助容器内に、前記容器側の前記吸引管路との連結口から流体を螺旋状に流入させる流入路を有する螺旋流路部材を備えた、
補助容器。
【請求項８】
請求項７に記載の補助容器であって、
前記補助容器の外側に、当該補助容器内に液体が蓄積したことを検出する静電容量センサを備えた、
補助容器。
【請求項９】
一端に吸引口が形成された吸引管路と、この吸引管路に吸引力を付勢する吸引ポンプと、前記吸引管路上に設けられ前記吸引口から吸引した吸引物を蓄積する容器と、を備え、
前記容器は、当該容器内に、前記吸引口側の前記吸引管路との連結口から流体を螺旋状に流入させる流入路を有する螺旋流路部材を備えた、
吸引装置。
【発明の詳細な説明】
【技術分野】
【０００１】
本発明は、吸引装置にかかり、特に、液体を吸引する吸引装置に関する。
【背景技術】
【０００２】
手術時や診察時、処置時などに、患者の人体から血液や痰などの体液を吸引するために、吸引装置が用いられる。このような医療用に用いられる吸引装置は、例えば図１、図２に記載のように、一端に吸引口１１ａが形成された吸引管路１１，１２，１３と、吸引管路１１，１２，１３に吸引力を付勢する吸引ポンプ２と、吸引管路１１，１２，１３上に設けられ吸引物を蓄積する吸引瓶３と、を備えている。かかる構成にて、吸引ポンプ２から吸引管路１１，１２，１３に吸引力を付勢することで、吸引口１１ａから人体の痰などの吸引物を吸引することができる。
【０００３】
このとき、吸引管路１１，１２，１３上に設けられた吸引瓶３との連結口１１ｂは、当該吸引瓶３の上方（例えば、蓋部）に形成されている。このため、吸引された吸引物は、吸引管路１１，１２，１３上の吸引瓶３に到達すると、連結口１１ｂから吸引瓶３内の底に自重で落下する。これにより、吸引物３０を吸引瓶３に蓄積することができると共に、吸引物３０が吸引ポンプ２側に流出することを抑制することができる。
【０００４】
一方で、上述した構成の吸引装置では、吸引瓶３に吸引物３０が多量に溜まってくると、吸引瓶３内の吸引物３０が吸引管路１１，１２，１３との連結口１１ｂに達し、吸引物３０自体が吸引ポンプ２側に流入するおそれが生じうる。このため、特許文献１に示すように、吸引瓶の吸引管路との連結口には、吸引物の水位が上昇するに伴って上昇して連結口を塞ぐフロートが設けられている。
【０００５】
さらに、吸引装置には、上記吸引瓶３と吸引ポンプ２の間の吸引管路１２，１３上に、安全瓶４が装備されている。安全瓶４は、吸引瓶３から流入した吸引物を蓄積し、当該吸引物が吸引ポンプ２に流入することを防止するようために設けられている。例えば、吸引瓶３に対して吸引口１１ａ側から吸引物が一気に流入した際には、吸引瓶３内に吸引物が飛散し、当該飛散した水滴等が安全瓶４に流入する恐れがあるが、かかる水滴を安全瓶４によって蓄積しようとするものである。なお、安全瓶４は、吸引瓶３と同様に、上方（蓋部）で吸引管路１２，１３と連結し、この連結口から吸引物である液体が流入すると、安全瓶４内の底に自重で落下する。
【先行技術文献】
【特許文献】
【０００６】
【特許文献１】特開２００９−６６１８２号公報
【発明の概要】
【発明が解決しようとする課題】
【０００７】
しかしながら、上述した構成の吸引装置であっても、吸引物が吸引ポンプ２に流入してしまう恐れがある。例えば、吸引管路１１から吸引瓶３に吸引物が流入する際に、吸引管路１１上で吸引物が一時的に詰まり、その後、吸引物が詰まった状態が解消され当該吸引物が一気に吸引瓶３内に流入する場合がある。すると、吸引物が吸引瓶３内に勢いよく流入し、この流入の際の力で、吸引瓶３内で吸引物が爆発したように飛散する状態となる。このとき、飛散した液体は霧状となり、吸引瓶３内で蓄積されず安全瓶４にまで流入するおそれがあり、さらに、霧状の液体は安全瓶４内でも散乱して蓄積されず、当該安全瓶４も通過して吸引ポンプ２まで流入してしまうおそれがある。
【０００８】
このため、本発明の目的は、上述した課題である、吸引物が吸引ポンプに流入してしまう、という問題を解決することができる吸引装置を提供することにある。
【課題を解決するための手段】
【０００９】
そこで、本発明の一形態である吸引装置は、
一端に吸引口が形成された吸引管路と、この吸引管路に吸引力を付勢する吸引ポンプと、前記吸引管路上に設けられ前記吸引口から吸引した吸引物を蓄積する容器と、当該容器と前記吸引ポンプとの間の前記吸引管路上に設けられ前記容器から流入した吸引物を蓄積する補助容器と、を備え、
前記補助容器は、当該補助容器内に、前記容器側の前記吸引管路との連結口から流体を螺旋状に流入させる流入路を有する螺旋流路部材を備えた、
という構成をとる。
【００１０】
また、本発明の吸引装置は、上述した構成に加えて、
前記補助容器は、当該補助容器の上部に前記容器側の前記吸引管路との連結口を設けており、当該連結口から前記補助容器内に流体を下方に向かって螺旋状に流入させるよう、前記螺旋流路部材の流入路が形成されている、
という構成をとる。
【００１１】
上記構成の吸引装置によると、容器内で液体の吸引物が飛散して補助容器に流入した場合であっても、当該液体は、補助容器内の螺旋流路部材に形成された螺旋状の流入路に沿って流入する。このため、液体は、螺旋状に流入した際の遠心力によって、補助容器内の周囲側を流通することとなり、補助容器内全体に飛散することを抑制することができる。その結果、液体が補助容器内から流出して吸引ポンプに流入することを抑制することができる。
【００１２】
また、本発明の吸引装置は、上述した構成に加えて、
前記補助容器は、前記螺旋流路部材の周囲側に、前記容器側の前記吸引管路との連結口から流体を螺旋状に流入させる前記流入路を形成しており、当該流入路に囲まれた前記螺旋流路部材の中央部分に、前記補助容器内から当該補助容器の上部に設けられた前記吸引ポンプ側の前記吸引管路との連結口に流体を流出させる流出路を形成している、
という構成をとる。
【００１３】
上記構成の吸引装置によると、補助容器に流入した流体は、螺旋状の流入路により補助容器内の周囲側を流通する。このため、補助容器の中央部分に形成された流出路からは、補助容器内に流入した流体内の液体が流出することを抑制することができ、液体が吸引ポンプに流入することを抑制することができる。
【００１４】
また、本発明の吸引装置は、上述した構成に加えて、
前記補助容器の前記螺旋流路部材の中央部分に設けられた流出路に、前記補助容器内に蓄積された吸引物の液面の上昇に伴って上昇して当該流出路を塞ぐフロートを設けた、
という構成をとる。
【００１５】
上記構成の吸引装置によると、補助容器内に吸引物が蓄積されて液面が上昇した場合には、これに伴ってフロートが上昇して流出路を塞ぐこととなる。このため、補助容器の中央部分に形成された流出路から、液体が流出することを抑制することができ、液体が吸引ポンプに流入することを抑制することができる。
【００１６】
また、本発明の吸引装置は、上述した構成に加えて、
前記補助容器の前記螺旋流路部材の中央部分に設けられた流出路に、前記フロートの下方及び側方を囲うと共に上端が開口して形成され、当該フロートの上方への移動を可能とするフロートガイドを備え、
前記フロートガイドは、側壁に、前記補助容器内から当該フロートガイド内に流体が流入する流入口を形成しており、当該流入口から流入した流体が、当該フロートガイドの開口した上端に連通している前記吸引ポンプ側の前記吸引管路に流出するよう形成され、前記補助容器内に蓄積された吸引物の液面の上昇に伴ってフロートが上昇することで前記フロートガイドの開口した上端を塞ぐよう形成されている、
という構成をとる。
【００１７】
上記構成の吸引装置によると、まず、補助容器内の中央部分では、当該補助容器に流入した流体が、フロートガイドの側壁に形成された流入口から当該フロートガイド内に流入し、当該フロートガイドの上端から吸引ポンプ側に流出する。これにより、補助容器内に流体を通過させることで、まず螺旋状の流入路により流体に含まれる液体を補助容器に蓄積しつつ、流体に含まれる気体のみを流出させ、液体が吸引ポインプに流入することを抑制することができる。これに加え、フロートガイド内では側壁側から流体（気体）が流入するため、この流入した流体によって、フロートガイドの下端側に位置するフロートが上昇することを抑制することができる。つまり、補助容器内における液面の上昇を伴わない不要なフロートの上昇を抑制して、流出路を塞いでしまうことを抑制することができる。
【００１８】
また、本発明の吸引装置は、上述した構成に加えて、
前記フロートガイドの側壁に形成された流入口は、前記フロートガイドの下端側にフロートが位置している状態において当該フロートよりも上方に位置して形成されている、
という構成をとる。
【００１９】
また、本発明の吸引装置は、上述した構成に加えて、
前記フロートガイドの側壁に形成された流入口は、上側の部位が下側の部位よりも流体の流入量が多くなる形状に形成されている、
という構成をとる。
【００２０】
また、本発明の吸引装置は、上述した構成に加えて、
前記フロートガイドの側壁に形成された流入口は、略Ｔ字状に形成されている、
という構成をとる。
【００２１】
上記構成の吸引装置によると、フロートガイド内に側壁側から流体（気体）が流入する際に、フロートの上側を流体が通過することになるため、この流入した流体によって、フロートガイドの下端側に位置するフロートが上昇することを抑制することができる。つまり、補助容器内における液面の上昇を伴わない不要なフロートの上昇を抑制でき、流出路を塞いでしまうことを抑制することができる。一方で、フロートガイドの側壁に形成された流入口は、上側の部位が下側の部位よりも流体の流入量が多くなるよう形成されているため、フロートガイドを通過する流体全体の流通量を確保することができる。これと共に、仮に補助容器内の液面が上昇した場合であっても、流入口の下側の部位からフロートの位置に液体が流入し、かかる液体でフロートが上昇して流出路を塞ぎ、液体が吸引ポンプに流入することを抑制することができる。
【００２２】
また、上記吸引装置では、
前記補助容器は、当該補助容器の外側に当該補助容器内に液体が蓄積したことを検出する静電容量センサを備えた、
という構成をとる。
【００２３】
また、上記吸引装置では、
前記補助容器は、当該補助容器の底部の外側に前記静電容量センサを配置した、
という構成をとる。
【００２４】
また、上記吸引装置では、
前記静電容量センサにて前記補助容器内に液体が流入したことを検出したときに、前記吸引ポンプの稼働を停止するよう制御する制御部を備えた、
という構成をとる。
【００２５】
上記構成によると、静電容量センサにて安全瓶に液体が蓄積されたことを検出することができ、これに伴い、吸引ポンプの稼働を停止することができる。これにより、安全瓶に上述したようなフロートガイド及びフロートなどの構造を設けることなく、簡易な構成で安全瓶から吸引ポンプに液体が流入することを抑制することができる。
【００２６】
また、本発明の他の形態である補助容器は、
一端に吸引口が形成された吸引管路と、この吸引管路に吸引力を付勢する吸引ポンプと、前記吸引管路上に設けられ前記吸引口から吸引した吸引物を蓄積する容器と、を備えた吸引装置に装備され、前記容器と前記吸引ポンプとの間の前記吸引管路上に設けられて前記容器から流入した吸引物を蓄積する補助容器であって、
当該補助容器内に、前記容器側の前記吸引管路との連結口から流体を螺旋状に流入させる流入路を有する螺旋流路部材を備えた、
という構成をとる。
【００２７】
これにより、上述同様に、液体が補助容器内から流出することを抑制でき、液体が吸引ポンプに流入することを抑制することができる。
【００２８】
また、本発明の他の形態である吸引装置は、
一端に吸引口が形成された吸引管路と、この吸引管路に吸引力を付勢する吸引ポンプと、前記吸引管路上に設けられ前記吸引口から吸引した吸引物を蓄積する容器と、を備え、
前記容器は、当該容器内に、前記吸引口側の前記吸引管路との連結口から流体を螺旋状に流入させる流入路を有する螺旋流路部材を備えた、
という構成をとる。
【００２９】
これにより、液体が容器内から流出することを抑制でき、液体が吸引ポンプに流入することを抑制することができる。
【発明の効果】
【００３０】
本発明は、以上のように構成され機能するので、これによると、液体が吸引ポンプに流入することを抑制することができるため、装置の故障などの不具合を抑制して、安全性、信頼性の向上を図ることができる。
【図面の簡単な説明】
【００３１】
【図１】本発明の実施形態１における吸引装置の構成を示す外観図である。
【図２】図１に開示した吸引装置の構成を示すブロック図である。
【図３】図２に開示した安全瓶の構成を示す図である。
【図４】図３に開示した安全瓶を構成する部品である螺旋流路部材の構成を示す図である。
【図５】図３に開示した安全瓶を構成する部品であるフロートガイドの構成を示す図である。
【図６】図２に開示した安全瓶の構成を示す断面図である。
【図７】図２に開示した安全瓶内の流体の流れの様子を示す図である。
【図８】本発明の実施形態２における安全瓶の構成を示す断面図である。
【図９】実施形態２における吸引装置の構成を示すブロック図である。
【図１０】図９に開示した吸引装置の動作を示すフローチャートである。
【発明を実施するための形態】
【００３２】
本発明は、吸引装置にて、吸引した吸引物に含まれる液体が、吸引ポンプ側に流入することを抑制するための構成を有することに特徴を有する。これにより、吸引装置の故障などの不具合を抑制して、安全性、信頼性の向上を図ろうとするものである。
【００３３】
以下、本発明である吸引装置及びその構成部品の具体的な構成及び動作を説明する。なお、以下では、手術時や診察時、処置時などに、患者の人体から血液や痰などの体液を吸引するために用いる医療用の吸引装置を一例に挙げて説明する。ただし、本発明の吸引装置は、医療用に限定されるものではなく、いかなる用途に用いられてもよく、いかなる物体を吸引するために用いられてもよい。
【００３４】
＜実施形態１＞
本発明の第１の実施形態を、図１乃至図７を参照して説明する。図１乃至図２は、吸引装置の全体構成を示す図である。図３乃至図６は、吸引装置を構成する安全瓶の構成を示す図であり、図７は、安全瓶の動作を示す図である。
【００３５】
［構成］
吸引装置は、手術時や診察時、処置時などに、患者の人体から血液や痰などの体液を吸引するためのものである。図１に、吸引装置の外観を示し、図２に、吸引装置の全体構成を表すブロック図を示す。
【００３６】
図１に示すように、本実施例における吸引装置は、まず、複数の筐体パーツが組みつけられることによって略直方体形状に形成された本体部１を備えている。そして、この本体部１の前面に形成された凹部には、吸引物を蓄積する吸引瓶３（容器）と、当該吸引瓶３に吸引管路１２を介して連結された安全瓶４（補助容器）と、が装備されている。なお、安全瓶４は、吸引瓶３から飛散した液体を蓄積し、以下に説明するように、液体が吸引ポンプ２に流入することを防止するよう機能する。
【００３７】
また、吸引管路１１，１２，１３は、図２に示すように、吸引瓶３の蓋部に形成された連結口１１ｂを通じてさらに延設され、その端部が吸引口１１ａを形成している。そして、その反対側では、吸引管路１１，１２，１３は、安全瓶４内を介して吸引ポンプ２に連結するまで延びる（符号１３参照）。さらに、吸引管路１１，１２，１３は、吸引ポンプ２から吸引した気体を外部に排出する管路１４にまで延びて形成されている。換言すると、吸引管路１１，１２，１３，１４は、一端側に吸引口１１ａが形成されており、その途中に、吸引瓶３、安全瓶４、吸引ポンプ２、が連結していて、他端側に排出口が形成されている。
【００３８】
ここで、図１、図２に示す例では、吸引瓶３が１つしか設けられていないが、吸引瓶３が直列又は並列に２つ以上設けられていてもよい。そして、２つ以上の吸引瓶３が直列に連結されている場合には、最後尾の吸引瓶３の後段側に安全瓶４を設ける。また、２つ以上の吸引瓶３が並列に連結されている場合には、それぞれの吸引瓶３の後段側にそれぞれ安全瓶４を設けてもよく、各吸引瓶３からの吸引管路を１つに集約した管路の下流側に、安全瓶４を１つ設けてもよい。このとき、切換弁を用いて、並列接続されたいずれかの吸引瓶３に吸引ポンプ２による吸引力が付勢されるよう切り換えるとよい。
【００３９】
なお、図１には図示しないが、上述した吸引管路１１，１２，１３に吸引力を付勢する吸引ポンプ２は、本体部１の内部に備えている。吸引ポンプ２は、例えば、ダイヤフラムポンプである。そして、この吸引ポンプ２と安全瓶４とを連結する吸引管路１３には、図２に示すように、圧力調整弁２１及び真空計２２も設けられているが、かかる構成は一般的な構成であるため、その詳細な説明は省略する。また、図示していないが、吸引ポンプ２に連結された吸引管路１４の後方つまり排気側には、安全瓶４を通過してしまった液体を蓄積するサイレンサと、当該サイレンサに蓄積された液体を排出するドレインが設けられていてもよい。
【００４０】
上記吸引瓶３（容器）は、図１に示すように、内部に吸引物３０を蓄積可能なよう底面を有する円筒状の容器にて形成されている。また、吸引瓶３の上方開口部には円板状の蓋部が設けられている。この蓋部には、上述した吸引管路１１，１２との連結口、つまり、吸引口側１１ａに連結される連結口１１ｂと、安全瓶３及び吸引ポンプ２側に連結される連結口１２ａと、が設けられている。なお、吸引瓶３の形状は、必ずしも円筒状であることに限定されず、いかなる形状の容器体であってもよい。
【００４１】
また、吸引瓶３の内部であって、蓋部に形成された安全瓶４及び吸引ポンプ２側に位置する吸引管路１２との連結口１２ａの裏面側には、図２に示すように、液体である吸引物に対して密度が小さく、吸引物に対して浮かぶ吸引瓶側フロート３２が設けられている。つまり、この吸引瓶側フロート３２は、吸引瓶３内に蓄積された吸引物３０の液面の上昇に伴って上昇するよう機能する。
【００４２】
また、吸引瓶３の蓋部の裏面側には、当該蓋部の裏面から吸引瓶３の深さ方向に所定の長さの空間部を有しており、当該空間部の側壁に貫通孔が形成された吸引瓶側フロートガイド３１が設けられている。そして、この吸引瓶側フロートガイド３１の空間部に吸引瓶側フロート３２が収容されており、当該吸引瓶側フロート３２は吸引瓶側フロートガイド３１内を上下移動する。つまり、吸引瓶３内の吸引物３０の量が増え、吸引物３０が吸引瓶側フロートガイド３１の空間部内に流入し、その液面が上昇すると、吸引物３０の液面と共に吸引瓶側フロートガイド３１に沿って吸引瓶側フロート３２が上昇する。すると、吸引瓶側フロート３２の上端面が連結口１２ａに当接し、当該連結口１２ａを塞ぐよう機能する。
【００４３】
次に、上述した吸引瓶３に吸引管路１２を介して連結している安全瓶４の構成について、図２乃至図６を参照して説明する。なお、図３は、安全瓶４の内部を透過させた図であり、図６は断面図である。また、図４、図５は、安全瓶４の内部に収容される部品の構成を示す図である。
【００４４】
安全瓶４（補助容器）は、図１及び図３に示すように、内部に、上記吸引瓶３から流入してきた吸引物を蓄積可能なよう底面を有する円筒状の容器にて形成されている。そして、安全瓶４の上方開口部には円板状の蓋部５が設けられており、この蓋部５には、上述した吸引瓶３側の吸引管路１２との連結口１２ｂと、吸引ポンプ２側の吸引管路１３との連結口１３ａと、が設けられている。なお、安全瓶４の形状は、必ずしも円筒状であることに限定されず、いかなる形状の容器体であってもよい。
【００４５】
そして、蓋部５の中心部の裏面側、つまり、安全瓶４の内部の上方には、図３及び図６に示すように、螺旋流路部材６と、安全瓶側フロートガイド７と、が収容されている。螺旋流路部材６は、吸引瓶３側の吸引管路１２との連結口１２ｂからの流体の流入路６０を形成しており、安全瓶側フロートガイド７は、安全瓶４から吸引ポンプ２側の吸引管路１３との連結口１３ａへの流体の流出路７０を形成している。
【００４６】
上記螺旋流路部材６について、図４及び図６を参照して説明する。なお、図４（ｂ）は、図３で図示した螺旋流路部材６の正面図であり、図４（ａ）はその平面図、図４（ｃ）はその底面図を示す。また、図４（ｄ）は、図４（ｂ）におけるＡ−Ａ線断面図である。
【００４７】
図４に示すように、螺旋流路部材６は、直径の異なる外壁６１と内壁６２とを有する２重の円筒形状に形成されており、外壁６１と内壁６２との間に上方から見て円環状の流入路６０が形成されている。具体的に、螺旋流路部材６には、図４（ｄ）に示すように、外壁６１と内壁６２との間の円環状部分には、当該外壁６１と内壁６２との間を連結して流入路６０の底を形成する底板６３が設けられている。そして、底板６３は、螺旋流路部材６の上端側から下端側に向かうにつれて、その高さ位置が徐々に下がるよう形成されている。これにより、螺旋流路部材６に形成された流入路６０は、安全瓶４内部の周囲側に沿って、螺旋状に形成されていることとなる。
【００４８】
なお、図６の断面図に示すように、螺旋流路部材６は、螺旋状の流入路６０の底板６３の高さ位置が最も高く、断面積が最も狭い箇所６０ａが、吸引瓶３側の吸引管路１２との連結口１２ｂ付近に配置される。これにより、吸引瓶３側からの流体は、安全瓶４内の周囲側を、上端付近から下方に向かって螺旋状に流入することとなる。
【００４９】
また、螺旋流路部材６の中央部分、つまり、上述した螺旋状の流入路６０を形成する内壁６２のさらに内側は、安全瓶４内から流体を流出させる流出路６５を形成している。この流出路６５には、安全瓶側フロートガイド７が収容される。このため、安全瓶側フロートガイド７も、後述する符号７０に示すように、流体の流出路を形成していることとなる。
【００５０】
上記安全瓶側フロートガイド７について、図５及び図６を参照して説明する。なお、図５（ｂ）は、図３で図示した安全瓶側フロートガイド７の正面図であり、図５（ａ）はその平面図、図５（ｃ）はその底面図、図５（ｅ）はその側面図を示す。また、図５（ｄ）は、図５（ａ）におけるＡ−Ａ線断面図である。
【００５１】
図５に示すように、安全瓶側フロートガイド７は、上端が開口し、下端が底部となる椀状のガイド本体７１を備えている。そして、ガイド本体７１の底部にフロート８が配置される。このため、ガイド本体７１は、底部に配置されたフロート８の下方と側方を囲っており、上端が開口し、フロート８が上方へ移動することを可能としている。
【００５２】
そして、ガイド本体７１の開口した上端は、安全瓶４の蓋部５の中心に設けられた、吸引ポンプ２側の吸引管路１３との連結口１３ａに連結される。具体的には、ガイド本体７１の上端付近の外側面にはネジ部７１ａが形成されており、蓋部５の中心の背面側に設けられた雌ネジ部にねじ込まれる。これにより、ガイド本体７１の開口した上端が、連結口１３ａに連結される。このとき、図６に示すように、上述した螺旋流路部材６の上端付近であり内壁６２のさらに内側に形成された環状突起が、ガイド本体７１と蓋部５との間に挟まれて保持される。これにより、螺旋流路部材６とガイド本体７１とは、安全瓶４の蓋部５側である上方に配置された状態となる。
【００５３】
また、ガイド本体７１の側壁には、外部から当該ガイド本体７１の内部に形成された流出路７０に通ずる貫通穴である流入口７２が形成されている。そして、流入口７２は、略Ｔ字状に形成されている。具体的に、流入口７２は、上端が横溝の形状で形成されており、それよりも下方側が縦溝の形状に形成されている。つまり、流入口７２は、高さ方向において、上側の部位が下側の部位よりも大きい貫通穴となる形状に形成されており、上側の部位が下側の部位よりも流体の流入量が多くなる。
【００５４】
これにより、ガイド本体７１には、流入口７２から内部に流体が流入し、当該内部７２の流体が、ガイド本体７１の開口している上端に連結された連結口１３ａから、吸引ポインプ２側に流出することとなる。このとき、ガイド本体７１は、螺旋流路部材６の中央部分に形成された流出路６５内に配置されているため、当該流出路６５を通過する流体がガイド本体７１内を流通することとなる。つまり、ガイド本体７１の内部が、安全瓶４内の流体を流出させる流出路７０を形成している。
【００５５】
また、仮に安全瓶４内に多量の液体が流入し、当該安全瓶４内に蓄積される液体の液面が上記流入口７２付近まで上昇に位置することとなると、当該流入口７２からガイド本体７１内に液体が流入することとなる。このとき、液面の上昇により、ガイド本体７１内のフロート８が当該ガイド本体７１の側壁に沿って上昇する。そして、フロート８がガイド本体７１の上端に連結された連結口１３ａまで上昇すると、フロート８が連結口１３ａを塞ぐこととなる。これにより、安全瓶４から吸引ポンプ２側への流体の流出路７０が塞がれることとなる。
【００５６】
また、流入口７２は、ガイド本体７１の側壁の２カ所に対向して形成されている。そして、流入口７２は、底部７０ａからフロート８の高さ位置よりも上方に位置して形成されている。具体的には、縦溝で形成された流入口７２の下端が、ガイド本体７１の底部７０ａに配置された状態のフロート８の上端よりも上方に位置して形成されている。これにより、フロート８がガイド本体７１の底部７０ａに位置しているときには、流入口７２からガイド本体７１内に流入する気体は、フロート８の上方を流れるため、当該フロート８が不必要に上昇することを抑制して、流出路７０を塞いでしまうことを抑制することができる。
【００５７】
そして、上述したように流入口７２がＴ字状に形成されていることにより、安全瓶４内に液体が蓄積されると、かかる蓄積された液体が流入口７２の下端側から徐々にガイド本体７１に流入し、フロート８を上昇させる。このとき、フロート８がガイド本体７１の上端を塞ぐ位置に上昇するまでは、Ｔ字状の流入口７２の上側の部位から気体が大量に流入するため、吸引ポンプ２による気体の流れを維持することができる。一方で、フロート８がガイド本体７１の上端を塞ぐ位置に上昇すると、流出路７０が塞がり、安全瓶４から吸引ポンプ２側に液体が流出することを抑制することができる。
【００５８】
ただし、流入口７２は、上述した高さ位置に形成されていることに限定されず、いかなる高さ位置に形成されていてもよい。また、流入口７２の数や形成位置も、上述したことに限定されない。さらに、流入口７２の形状は、Ｔ字状であることに限定されず、いかなる形状であってもよい。
【００５９】
［動作］
次に、上記構成の吸引装置による動作を、図２及び図７を参照して説明する。まず、吸引を開始する際には、オペレータが電源ボタンや吸引開始ボタン等を押下することで、吸引ポンプ２が作動する。すると、吸引ポンプ２からの吸引力が安全瓶４や吸引瓶３を介して吸引管路１１，１２，１３に付勢され、その一端側である吸引口１１ａに吸引力が発生する。なお、吸引した気体は、吸引ポンプ２から吸引管路１４を介して排気される。ここで、吸引ポンプ２の作動開始操作は、上述した操作に限定されるものではない。例えば、電源ボタンを入れることでスタンバイ状態となり、別付けのフットスイッチを踏むことで、このことを検知し、吸引ポンプ２が作動を開始してもよい。
【００６０】
そして、オペレータが吸引口１１ａを主に液体である吸引対象物に近づけると、吸引物が吸引口１１ａから吸引され、吸引管路１１を通り、連結口１１ｂから吸引瓶３内に蓄積される。すると、しだいに吸引瓶３内の吸引物３０の量が増加し、蓄積された吸引物３０の液面が徐々に上昇する。この液面の上昇に伴い、やがて吸引瓶側フロート３２の高さが上昇し、さらに蓄積された吸引物３０が増加すると、吸引瓶側フロート３２が連結口１２ａに当接し、当該連結口１２ａを塞ぐよう機能する。このように、まずは吸引瓶３に大量の吸引物が蓄積されても、吸引瓶側フロート３２によって、吸引物である液体が安全瓶４側に流出することを抑制することができる。
【００６１】
一方、吸引瓶３に大量の液体が蓄積されておらず、吸引瓶側フロート３２の位置が上昇せずに安全瓶４及び吸引ポンプ２側の連結口１２ａを塞いでいない状態では、吸引瓶３から安全瓶４に流体が流入する。このとき、安全瓶４に流入する流体は、主に気体であるが、液体が混じっている場合がある。
【００６２】
このような状況において、安全瓶４内には、まず、蓋部５に連結された連結口１２ｂから、螺旋流路部材６に形成された螺旋状の流入路６０に、流体が流入する（図７の矢印Ｙ１参照）。すると、流入した流体は、流入路６０に沿って、安全瓶４の周囲側を、上端側から下端側に向かって螺旋状に流入する（図７の矢印Ｙ２参照）。
【００６３】
すると、流体に含まれる液体は、螺旋状に流入した際の遠心力によって、安全瓶４内の周囲側の内壁面に付着したり、底部に落下するなどして、安全瓶４内に蓄積される。つまり、流入した流体に含まれる液体は、安全瓶４内全体に飛散することが抑制される。その結果、安全瓶４の中央に形成された流出路６５から、液体が吸引ポンプ２側に流出することを抑制することができる。特に、安全瓶４内に流入した流体に含まれる液体が、飛散しやすい霧状であったとしても、上述した螺旋状の流入路６０に沿って流入するため、その遠心力によって中心付近を液体が流通することを抑制でき、安全瓶４内から流出することをより抑制することができる。
【００６４】
その後、安全瓶４内に流入した流体は、当該安全瓶４の上部の中央、つまり、螺旋流路部材６の中央に形成された流出路６５から、蓋部５の中央に連結された連結口１３ａを介して、吸引ポンプ２側に流出する（図７の矢印Ｙ３，Ｙ４参照）。このとき、螺旋流路部材６の中央に形成された流出路６５には、安全瓶側フロートガイド７が収容されている。このため、安全瓶側フロートガイド７内の流出路７０を介して、流体が吸引ポンプ２側に流出することとなる。
【００６５】
このとき、上述したように、安全瓶４に流入した流体のうち液体は安全瓶４に蓄積されるため、流体のうち気体のみが流出路６５，７０から吸引ポンプ２側に流出することとなる。具体的には、流出路６５に設けられた安全瓶側フロートガイド７において、まず、ガイド本体７１の側壁に形成された流入口７２から当該ガイド本体７内に気体が流入する（図７の矢印Ｙ３参照）。そして、安全瓶４内に蓄積された液体が少ない場合には、ガイド本体７１の底部７０ａにフロート８が位置しているため、流入口７２から流入した気体がフロート８の上方を流れる。このため、フロート８が不必要に上昇して流出路６５，７０を塞ぐことなく、気体が吸引ポンプ２側の連結口１３ａから流出することとなる（図７の矢印Ｙ４）。
【００６６】
その後、仮に安全瓶４内に液体が蓄積され液面が上昇すると、Ｔ字状の流入口７２の下端付近から、蓄積された液体がガイド本体７１内に徐々に流入することとなる。すると、ガイド本体７１内でフロート８が徐々に上昇することとなるが、その途中では、Ｔ字状の流入口７２の上側の部位から空気が大量に流入するため、吸引ポンプ２による空気の流れを維持することができる。
【００６７】
そして、さらにその後、液面の上昇により、フロート８がガイド本体７１の上端に連結された連結口１３ａまで上昇すると、フロート８が連結口１３ａを塞ぐこととなる。これにより、安全瓶４から吸引ポンプ２側への流体の流出路６５，７０が塞がれ、液体が吸引ポンプ２に流入することを抑制することができる。また、上述したように吸引ポンプ２の先にサイレンサが設けられている場合であっても、当該サイレンサに液体が蓄積することを抑制できるため、かかるサイレンサから液体を排出する作業を軽減でき、また、サイレンサに蓄積される液体による異臭の発生を抑制することができる。
【００６８】
ここで、上記では、吸引装置を構成する安全瓶４（補助容器）に、螺旋流路部材６やフロートガイド７を備えた構成を説明したが、上述した構造の螺旋流路部材６やフロートガイド７を、吸引瓶３（容器）に設けてもよい。これにより、吸引瓶３内でも、上述した安全瓶４内と同様の流体の流れが生じ、吸引瓶３から吸引ポンプ２側に液体が流出することを抑制することができる。
【００６９】
なお、上述したように、螺旋流路部材６やフロートガイド７を、吸引瓶３及び安全瓶４のそれぞれに設けてもよいが、螺旋流路部材６やフロートガイド７を吸引瓶３に設け、安全瓶４には螺旋流路部材６やフロートガイド７を設けなくてもよい。また、螺旋流路部材６やフロートガイド７を吸引瓶３に設けた場合には、吸引装置に、安全瓶４を設けずに、吸引物を蓄積する容器として吸引瓶３のみを設けてもよい。
【００７０】
＜実施形態２＞
次に、本発明の第２の実施形態を、図８乃至図１０を参照して説明する。本実施形態における吸引装置は、第１の実施形態で開示した吸引装置とほぼ同じ構成であるが、安全瓶４自体及び当該安全瓶４に関連する構成が異なる。
【００７１】
［構成］
まず、本実施形態における安全瓶４（補助容器）は、図８に示すように、円筒状の容器の上方開口部に蓋部５が設けられており、この蓋部５には、上述した吸引瓶３側の吸引管路１２との連結口１２ｂと、吸引ポンプ２側の吸引管路１３との連結口１３ａと、が設けられている。なお、安全瓶４自体は、ガラスやプラスチックなどの絶縁性物質で形成されている。但し、安全瓶４の形状は、必ずしも円筒状であることに限定されず、いかなる形状の容器体であってもよい。
【００７２】
そして、蓋部５の中心部の裏面側、つまり、安全瓶４の内部の上方には、螺旋流路部材６が設けられている。この螺旋流路部材６は、実施形態１で説明したものと同様の構成であり、吸引瓶３側の吸引管路１２との連結口１２ｂからの流体の流入路６０が、安全瓶４内部の周囲側に沿って螺旋状に形成されていることとなる。これにより、吸引瓶３側からの流体は、安全瓶４内の周囲側を、上端付近から下方に向かって螺旋状に流入することとなる。
【００７３】
また、螺旋流路部材６の中央部分、つまり、上述した螺旋状の流入路６０を形成する内壁のさらに内側は、安全瓶４内から流体を流出させる流出路６５を形成している。この流出路６５には、実施形態１で説明した安全瓶側フロートガイド７とは構成が異なる流出路部材７’が収容されている。
【００７４】
具体的に、流出路部材７’は、上端が開口し、下端が底部となる椀状の流出路本体７１’を備えている。なお、流出路本体７１’の内部には、実施形態１の安全瓶側フロートガイド７に設けていたフロート８は配置されていない。そして、流出路本体７１’の開口した上端は、安全瓶４の蓋部５の中心に設けられた、吸引ポンプ２側の吸引管路１３との連結口１３ａに連結される。なお、流出路本体７１’と蓋部５との連結方法は、実施形態１と同様である。
【００７５】
また、流出路本体７１’の側壁の所定の高さ位置には、外部から当該流出路本体７１’の内部に形成された流出路７０に通ずる貫通穴である流入口７２’が形成されている。そして、流入口７２’は、円形状に形成されている。
【００７６】
これにより、流出路本体７１’には、流入口７２’から内部に流体が流入し、当該内部の流体が、流出路本体７１’の開口している上端に連結された連結口１３ａから、吸引ポインプ２側に流出することとなる。このとき、流出路本体７１’は、螺旋流路部材６の中央部分に形成された流出路６５内に配置されているため、当該流出路６５を通過する流体が流出路本体７１’内を流通することとなる。つまり、流出路本体７１’の内部が、安全瓶４内の流体を流出させる流出路７０を形成している。
【００７７】
そして、本実施形態では、図８に示すように、安全瓶４の底面を支持する支持部９を備えている。そして、支持部９は、安全瓶４の底面に当設あるいは近接する静電容量センサ９０を備えている。具体的に、静電容量センサ９０は、図９に示すように、検出電極９１が安全瓶４の底面に対向するよう配置されている。これにより、安全瓶４の底面に液体が蓄積した場合には、そのことを静電容量センサ９０にて検出することが可能となる。なお、静電容量センサ９０にて検出可能な液体の量は、センサ感度を調整することで設定することができるが、本実施形態では、少量の液体を検出可能なよう設定されている。
【００７８】
なお、静電容量センサ９０は、必ずしも安全瓶４の底面に設けられていることに限定されない。例えば、安全瓶４の側面の外側の所定の高さ位置に設けられていてもよい。これにより、安全瓶４内の液体が底部からセンサ取り付け位置まで蓄積したときに、このことを検出することができる。
【００７９】
また、静電容量センサ９０は、図９に示すように、通知部９２を備えており、安全瓶４内に液体が蓄積したこと検出すると、そのことを制御装置１００に通知する。ここで、制御装置１００（制御部）は、吸引装置内に装備されており、当該制御装置１００はポンプ制御部１０１を備えている。ポンプ制御部１０１は、静電容量センサ９０から安全瓶４内に液体が蓄積されたことの通知を受けると、吸引ポンプ２に対して稼働を停止する停止指令を発する機能を有する。これにより、吸引ポンプ２による吸引が停止される。例えば、ポンプ制御部１０１は、静電容量センサ９０から出力される信号（電圧の有無）をトランジスタやフォトカプラなどで受け、これをリレー回路で吸引ポンプ２を停止する、という構成の電気回路で構成される。但し、ポンプ制御部１０１は、上述した構成であることに限定されず、いかなる構成で実現されてもよい。
【００８０】
［動作］
次に、上記構成の吸引装置による動作を、図１０を参照して説明する。まず、吸引を開始する際には、オペレータが電源ボタンや吸引開始ボタン等を押下することで、吸引ポンプ２が作動する（図１０のステップＳ１）。すると、吸引ポンプ２からの吸引力が安全瓶４や吸引瓶３を介して吸引管路１１，１２，１３に付勢され、その一端側である吸引口１１ａに吸引力が発生する（図１０のステップＳ２）。なお、吸引した気体は、吸引ポンプ２から吸引管路１４を介して排気される。ここで、吸引ポンプ２の作動開始操作は、上述した操作に限定されない。
【００８１】
そして、オペレータが吸引口１１ａを主に液体である吸引対象物に近づけると、吸引物が吸引口１１ａから吸引され、吸引管路１１を通り、連結口１１ｂから吸引瓶３内に蓄積される。その後、吸引瓶３内の吸引物３０の量が増加し、蓄積された吸引物３０の液面が徐々に上昇すると、吸引瓶側フロート３２が連結口１２ａに当接し、当該連結口１２ａを塞ぐよう機能する。このように、まずは吸引瓶３に大量の吸引物が蓄積されても、吸引瓶側フロート３２によって、吸引物である液体が安全瓶４側に流出することを抑制することができる。
【００８２】
一方、吸引瓶３に大量の液体が蓄積されておらず、吸引瓶側フロート３２の位置が上昇せずに安全瓶４及び吸引ポンプ２側の連結口１２ａを塞いでいない状態では、吸引瓶３から安全瓶４に流体が流入する。このとき、安全瓶４に流入する流体は、主に気体であるが、液体が混じっている場合がある。
【００８３】
このような状況において、安全瓶４内には、まず、蓋部５に連結された連結口１２ｂから、螺旋流路部材６に形成された螺旋状の流入路６０に、流体が流入する。すると、流入した流体は、流入路６０に沿って、安全瓶４の周囲側を、上端側から下端側に向かって螺旋状に流入する。
【００８４】
すると、流体に含まれる液体は、螺旋状に流入した際の遠心力によって、安全瓶４内の周囲側の内壁面に付着したり、底部に落下するなどして、安全瓶４内に蓄積される。つまり、流入した流体に含まれる液体は、安全瓶４内全体に飛散することが抑制される。その結果、安全瓶４の中央に形成された流出路６５から、液体が吸引ポンプ２側に流出することを抑制することができる。特に、安全瓶４内に流入した流体に含まれる液体が、飛散しやすい霧状であったとしても、上述した螺旋状の流入路６０に沿って流入するため、その遠心力によって中心付近を液体が流通することを抑制でき、安全瓶４内から流出することをより抑制することができる。
【００８５】
一方で、安全瓶４に流入した流体のうち液体は、霧状であっても、自重により次第に安全瓶４の底部に集約されて蓄積されることとなる。そして、安全瓶４の底部に蓄積された液体が検出可能な量に達すると、静電容量センサ９０が、底部に所定量の液体が蓄積したことを検出する（図１０のステップＳ３でＹｅｓ）。すると、静電容量センサ９０は、安全瓶４内に液体が蓄積したことを制御装置１００に通知する。
【００８６】
その後、制御装置１００は、静電容量センサ９０から安全瓶４内に液体が蓄積されたことの通知を受けると、吸引ポンプ２に対して稼働を停止する制御指令を発する。これにより、吸引ポンプ２による吸引が停止される（図１０のステップＳ４）。
【００８７】
このように、安全瓶４の底部に液体が蓄積されると、吸引ポンプ２による吸引が停止されるため、安全瓶４から吸引ポンプ２に液体が流入することを抑制することができる。その結果、吸引装置の故障などの不具合をより有効に抑制でき、安全性、信頼性の向上をはかることができる。また、仮に、上述したように吸引ポンプ２の先にサイレンサが設けられている場合であっても、当該サイレンサに液体が蓄積することを抑制できるため、かかるサイレンサから液体を排出する作業を軽減でき、サイレンサに蓄積される液体による異臭の発生を抑制することができる。
【００８８】
ここで、上述した螺旋流路部材６を吸引瓶３（容器）に設けてもよく、これに加え、上述した静電容量センサ９０を、吸引瓶３の側面の所定の高さ位置に設けてもよい。これにより、吸引瓶３に設けた静電容量センサ９０にて当該吸引瓶３内の所定の高さまで液体が蓄積されたことを検出することができる。そしてさらに、上述同様に、吸引瓶３に設けた静電容量センサ９０にて液体を検出した場合に、吸引ポンプ２による吸引を停止するよう制御する制御装置１００を設けてもよい。これにより、吸引瓶３内に多くの液体が蓄積されると、吸引ポンプ２による吸引が停止されるため、吸引ポンプ２に液体が流入することを抑制することができる。なお、吸引瓶３内の液体の蓄積量を静電容量センサ９０で検出する場合には、吸引瓶３に、吸引瓶側フロートガイド３１及び吸引瓶側フロート３２を設けなくてもよい。
【００８９】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００９０】
１  本体部
２  吸引ポンプ
３  吸引瓶
４  安全瓶
５  蓋部
６  螺旋流路部材
７  安全瓶側フロートガイド
８  フロート
１１，１２，１３，１４  吸引管路
１１ａ  吸引口
１１ｂ，１２ａ，１２ｂ，１３ａ  連結口
２１  圧力調整弁
２２  真空計
３０  液面
３１  吸引瓶側フロートガイド
３２  吸引瓶側フロート
６０  流入路
６１  外壁
６２  内壁
６３  底板
６５  流出路
７０  流出路
７１  ガイド本体
７１ａ  ネジ部
７２  流入口
７’  流出路部材
７１’  流出路本体
７２’  流入口
９０  静電容量センサ
９１  検出電極
９２  通知部
１００  制御装置
１０１  ポンプ制御部
【図１】
2017074359.tif 000003
【図２】
2017074359.tif 000004
【図３】
2017074359.tif 000005
【図４】
2017074359.tif 000006
【図５】
2017074359.tif 000007
【図６】
2017074359.tif 000008
【図７】
2017074359.tif 000009
【図８】
2017074359.tif 000010
【図９】
2017074359.tif 000011
【図１０】
2017074359.tif 000012